(57)【要約】【課題】室外からのミストの侵入を抑え易いと共に捕集したミストの廃棄が容易な熱交換換気装置を得ること。【解決手段】筐体１０内に格納された給気ファン１３により筐体の外気吸込口１ａから外気を吸い込み、熱交換素子の給気通路を通して給気口１ｂから機外に給気すると共に、筐体内に格納された排気ファン１５により筐体の還気口３ａから室内空気を吸い込み、熱交換素子の排気通路を通して筐体の排気口３ｂから機外に排気する熱交換換気装置４０Ａを構成するにあたり、外気吸込口に吸い込まれる外気中のミストを捕集して室外に排出するミスト捕集装置３０Ａを設ける。【選択図】  図１
2010230273.tif 000002
【特許請求の範囲】
【請求項１】
筐体内に格納された給気ファンにより前記筐体の外気吸込口から外気を吸い込み、熱交換素子の給気通路を通して給気口から機外に給気すると共に、前記筐体内に格納された排気ファンにより前記筐体の還気口から室内空気を吸い込み、前記熱交換素子の排気通路を通して前記筐体の排気口から機外に排気する熱交換換気装置であって、
前記外気吸込口に吸い込まれる外気中のミストを捕集して室外に排出するミスト捕集装置を備えていることを特徴とする熱交換換気装置。
【請求項２】
前記ミスト捕集装置は、
外箱と、
該外箱に収納されたミスト捕集部と
前記外箱内での前記ミスト捕集部の下方に配置され、前記ミスト捕集部により捕集されて滴下してくる水を受けるドレンパンと、
該ドレンパンに接続されて前記水を室外に排出する排水管と、
を有することを特徴とする請求項１に記載の熱交換換気装置。
【請求項３】
前記ミスト捕集装置は、前記ミスト捕集部とドレンパンの間に設けられて外気中の塵埃を除去するエリミネータを更に有することを特徴とする請求項１または２に記載の熱交換換気装置。
【請求項４】
前記ミスト捕集装置は、前記外気吸込口に隣接配置されて該外気吸込口に連通し、
該ミスト捕集装置には、前記外気吸込口に外気を送るための外気ダクトが接続される、
ことを特徴とする請求項１〜３のいずれか１つに記載の熱交換換気装置。
【請求項５】
前記ミスト捕集装置は、前記筐体から離隔して配置され、
該ミスト捕集装置には、該ミスト捕集装置に外気を送るための第１ダクト部と、該ミスト捕集装置から前記外気吸込口に外気を送るための第２ダクト部とが接続される、
ことを特徴とする請求項１〜３のいずれか１つに記載の熱交換換気装置。
【請求項６】
筐体内に格納された給気ファンにより前記筐体の外気吸込口から外気を吸い込み、熱交換素子の給気通路を通して給気口から機外に給気すると共に、前記筐体内に格納された排気ファンにより前記筐体の還気口から室内空気を吸い込み、前記熱交換素子の排気通路を通して前記筐体の排気口から機外に排気する第１熱交換換気装置と、該第１熱交換換気装置の外気吸込口に外気を送るための外気ダクトとを備えた熱交換換気システムであって、
前記第１熱交換換気装置は、前記筐体よりも室外側に配置され、前記外気吸込口に吸い込まれる外気中のミストを捕集して前記外気ダクトから室外に排出することができるミスト捕集装置を備えていることを特徴とする熱交換換気システム。
【請求項７】
前記外気ダクトには、前記筐体側から室外にかけて下り勾配がつけられていることを特徴とする請求項６に記載の熱交換換気システム。
【請求項８】
ミスト捕集装置を備えていない第２熱交換換気装置を更に備え、
前記第１熱交換換気装置のミスト捕集装置は、前記第１熱交換換気装置での外気吸込口と前記第２熱交換換気装置での外気吸込口の各々に連通している、
ことを特徴とする請求項６または７に記載の熱交換換気システム。
【発明の詳細な説明】
【技術分野】
【０００１】
本発明は、熱交換素子により室外空気と室内空気との間で熱交換を行いながら換気する熱交換換気装置、および該熱交換換気装置を用いた熱交換換気システムに関するものである。
【背景技術】
【０００２】
熱交換素子により室外空気と室内空気との間で熱交換を行いながら換気する熱交換換気装置では、例えば霧がかかった日や霧雨の日に運転すると、ミスト（霧水）が装置内に取り込まれて熱交換素子や装置を傷めたり、熱交換素子から水漏れを起こしたりすることがあるので、熱交換素子よりも室外側でミストを捕集する機能を付与することが望まれる。
【０００３】
ミストの捕集は様々な技術分野で既に行われており、種々のミスト捕集装置が知られている。例えば特許文献１には、複数の捕集板を空気の進行方向に対して各々１回以上屈折させて複数の屈折通路を形成するにあたって、個々の捕集板の屈折部を折れ曲げ自在に構成すると共に各捕集板の一端を支持具で連結し、支持具を移動させて屈折通路の屈折角度および通路幅を可変にすることで捕集限界粒径を可変にしたミスト捕集装置が記載されている。
【０００４】
また、特許文献２には、ダクト内にミスト捕集手段を設けると共に該ミスト捕集手段で捕集したミストを回収して貯留するミスト回収溝を設け、該ミスト回収溝に設置したミスト抜取弁を定期的に開成することで、ミスト回収溝に貯留されている水を排出するようにしたミスト回収装置が記載されている。そして、特許文献３には、排気中の油ミスト等を洗浄水に吸収させて浄化し、該浄化後の排気を外気と熱回収手段で熱交換させる排気浄化システムが記載されている。
【先行技術文献】
【特許文献】
【０００５】
【特許文献１】特開昭５９−１００３２６号公報
【特許文献２】特開２００５−８７８５２号公報
【特許文献３】特開２００１−２９９８８４号公報
【発明の概要】
【発明が解決しようとする課題】
【０００６】
しかしながら、特許文献１に記載されたミスト捕集装置は、捕集したミストの再利用が可能な加湿器に組み込まれて使用されるものであり、捕集したミストを再利用せずに適切に処理することが求められる熱交換換気装置にそのまま適用することはできない。
【０００７】
また、特許文献２に記載されたミスト回収装置では、ミスト捕集手段により捕集されてミスト回収溝に貯留された水を、当該ミスト回収溝に設置されたミスト抜取弁を定期的に開成して排出しなければならないため、部屋の天井等に設置される熱交換換気装置に適用した場合には装置の保守管理が煩雑になる。
【０００８】
そして、排気中の油ミスト等を洗浄水に吸収させて浄化する特許文献３に記載された排気浄化システムは、室外空気中のミストが熱交換換気装置内に侵入するのを防止するための装置としては不向きである。
【０００９】
本発明は上記の事情に鑑みてなされたものであり、室外からのミストの侵入を抑え易いと共に捕集したミストの廃棄が容易な熱交換換気装置、および該熱交換換気装置を用いた熱交換換気システムを得ることを目的とする。
【課題を解決するための手段】
【００１０】
本発明の熱交換換気装置は、筐体内に格納された給気ファンにより筐体の外気吸込口から外気を吸い込み、熱交換素子の給気通路を通して給気口から機外に給気すると共に、筐体内に格納された排気ファンにより筐体の還気口から室内空気を吸い込み、熱交換素子の排気通路を通して筐体の排気口から機外に排気する熱交換換気装置であって、外気吸込口に吸い込まれる外気中のミストを捕集して室外に排出するミスト捕集装置を備えていることを特徴とする。
【発明の効果】
【００１１】
本発明の熱交換換気装置は、外気中のミストを捕集して室外に排出するミスト捕集装置を備えているので、室外からのミストの侵入を抑え易いと共に捕集したミストの廃棄が容易である。
【図面の簡単な説明】
【００１２】
【図１】図１は、本発明の熱交換換気システムの一例を概略的に示す部分断面図である。
【図２】図２は、図１に示した熱交換換気システムでのミスト捕集装置を拡大して概略的に示す部分断面図である。
【図３】図３は、本発明の熱交換換気装置および熱交換換気システムの各々を構成するミスト捕集装置のうちで塵埃を除去するためのエリミネータを有するものの内部構造の一例を概略的に示す分解斜視図である。
【図４】図４は、本発明のうち、ミスト捕集装置が熱交換換気装置の換気装置本体から離隔して配置された熱交換換気装置および熱交換換気システムそれぞれの一例を概略的に示す部分断面図である。
【図５】図５は、本発明の熱交換換気システムのうち、本発明の熱交換換気装置とミスト捕集装置を備えていない熱交換換気装置とを用いて構築されものでのミスト捕集装置およびその近傍を概略的に示す部分断面図である。
【発明を実施するための形態】
【００１３】
以下、本発明の熱交換換気装置および熱交換換気システムそれぞれの実施の形態について図面を参照して詳細に説明する。なお、本発明は以下に説明する実施の形態に限定されるものではない。
【００１４】
実施の形態１．
図１は、本発明の熱交換換気システムの一例を概略的に示す部分断面図であり、図２は、図１に示した熱交換換気システムでのミスト捕集装置を拡大して概略的に示す部分断面図である。図１に示す熱交換換気システム５０Ａは、本発明の熱交換換気装置の一例に相当する熱交換換気装置４０Ａにより外気と室内空気との間で熱交換を行いながら室内を換気するシステムであり、熱交換換気装置４０Ａに加えて外気ダクト４１、給気ダクト４２、還気ダクト４３、および排気ダクト４４を備えている。以下、熱交換換気システム５０Ａの各構成部材について説明する。
【００１５】
上記の熱交換換気装置４０Ａは、建物の天井１００に埋め込まれて設置される換気装置本体２０と、この換気装置本体２０の側方に取り付けられたミスト捕集装置３０Ａと、換気装置本体２０に接続されて該換気装置本体２０と通信するリモートコントローラ（図示せず）とを備えている。そして、換気装置本体２０は、筐体１０と、該筐体１０に格納された給気ファン１３、排気ファン１５、および熱交換器１７と、筐体１０に取り付けられた本体側コントローラ（図示せず）とを有している。
【００１６】
換気装置本体２０を構成する筐体１０は、板金により形成された直方体状の箱体であり、該筐体１０には外気吸込口１ａ、給気口１ｂ、還気口３ａ、および排気口３ｂが形成されている。外気吸込口１ａの外側にはミスト捕集装置３０Ａが取り付けられており、該ミスト捕集装置３０Ａでの室外側、および給気口１ｂ、還気口３ａ、排気口３ｂそれぞれの外側には、ダクト接続部５が１つずつ取り付けられている。また、筐体１０内には、該筐体１０をその高さ方向に二分すると共に筐体１０の中央部で互いに離隔する２つの仕切り板７ａ，７ｂが設けられている。
【００１７】
給気ファン１３は仕切り板７ａ上に配置されており、該給気ファン１３を運転することにより外気が外気吸込口１ａから筐体１０内に取り込まれて、給気口１ｂから室内に吹き出される。排気ファン１５は仕切り板７ｂ上に配置されており、該排気ファン１５を運転することにより室内空気が還気口３ａから筐体１０内に取り込まれて、排気口３ｂから室外に吹き出される。
【００１８】
熱交換器１７は、熱交換素子と該熱交換素子を収容した枠体とを有しており、給気ファン１３により筐体１０内に取り込まれた外気と排気ファン１５により筐体１０内に取り込まれた室内空気との間で熱交換を行う。上記の熱交換素子としては、例えば、シート状を呈する紙製の仕切り部材と波形を呈する紙製の間隔保持部材とを交互に積層し、仕切り部材とその下の間隔保持部材との間、および仕切り部材とその上の間隔保持部材との間にそれぞれ空気の流路を複数形成した全熱交換型、顕熱交換型、または潜熱交換型の素子が用いられる。仕切り部材の下に形成された各流路と当該仕切り部材の上に形成された各流路とは平面視したときに略直交する。
【００１９】
例えば、個々の仕切り部材の上に形成される複数の流路の各々が熱交換素子での給気通路となり、当該仕切り部材の下に形成される複数の流路の各々が熱交換素子での排気通路となる。熱交換換気装置４０Ａでは、熱交換素子での各給気通路が水平隔壁７ｂの下方から水平隔壁７ａの上方に達し、各排気通路が水平隔壁７ａの下方から水平隔壁７ｂの上方に達するようにして熱交換器１７が配置されている。
【００２０】
ミスト捕集装置３０Ａは、換気装置本体２０での外気吸込口１ａの側方に取り付けられている。図２に示すように、このミスト捕集装置３０Ａは、外箱２１と、該外箱２１に収容されたミスト捕集部２３Ａと、外箱２１内でのミスト捕集部２３Ａの下方に配置されたドレンパン２５と、該ドレンパン２５に接続された排水管２７とを有している。外箱２１には、外気吸込口１ａに連通する筐体側通風口２１ａと、外気ダクト４１に連通する室外側通風口２１ｂとが形成されている。ミスト捕集部２３Ａは、例えば複数枚のフィンや複数枚のネット等を用いて構成されて、外気吸込口１ａに吸い込まれる外気中のミストを捕集する。ドレンパン２５は、ミスト捕集部２３Ａにより捕集されて滴下してくる水を受ける。そして、排水管２７は、外気ダクト４１内を通って室外にまで延在して、ドレンパン２５が受けた水を室外に排出する。
【００２１】
外気ダクト４１（図１参照）は、その一端がミスト捕集装置３０Ａでのダクト接続部５に接続されており、該外気ダクト４１の他端は建物の外壁１１０を貫通して室外に達している。この外気ダクト４１には、雨水の侵入を防ぐために筐体１０側（ミスト捕集装置３０Ａ側）から室外にかけて下り勾配がつけられており、該外気ダクト４１での室外側の端には外気フード４５（図１参照）が取り付けられている。当該外気ダクト４１に上記の下り勾配がつけられていることから、外気ダクト４１内を通って室外、具体的には外気フード４５にまで延在するミスト捕集装置３０Ａの排水管２７にも、ミスト捕集装置３０Ａ側から室外にかけて下り勾配がつけられている。
【００２２】
給気ダクト４２（図１参照）は、その一端が筐体１０での給気口１ｂの外側に取り付けられたダクト接続部５に接続されており、該給気ダクト４２での他端は、天井１００に取り付けられた給気グリル４６に接続されている。また、還気ダクト４３（図１参照）は、その一端が筐体１０での還気口３ａの外側に取り付けられたダクト接続部５に接続されており、該還気ダクト４３の他端は、天井１００に取り付けられて還気グリル４７に接続されている。そして、排気ダクト４４（図１参照）は、その一端が筐体１０での排気口３ｂの外側に取り付けられたダクト接続部５に接続されており、該排気ダクト４４での他端は建物の外壁１１０を貫通して室外に達している。この排気ダクト４４での室外側の端には、排気フード４８が取り付けられている。
【００２３】
上述した各構成部材を有する熱交換換気システム５０Ａでは、リモートコントローラ（図示せず）から送られてくる指令に応じて熱交換換気装置４０Ａの本体側コントローラ（図示せず）が給気ファン１３および排気ファン１５それぞれの動作を制御する。
【００２４】
熱交換換気装置４０Ａにより熱交換換気を行うときには、給気ファン１３および排気ファン１５の各々が本体側コントローラ起動される。その結果として、外気が外気フード４５、外気ダクト４１、ミスト捕集装置３０Ａ、および外気吸込口１ａを通って筐体１０内に取り込まれ、熱交換器１７の給気通路を経て給気ファン１３に達した後に給気口１ｂ、給気ダクト４２、および給気グリル４６を通って室内に吹き出される。また、室内空気が還気グリル４７、還気ダクト４３、および還気口３ａを通って筐体１０内に取り込まれ、熱交換器１７の排気通路を経て当該排気ファン１５に達した後に排気口３ｂ、排気ダクト４４、および排気フード４８を通って室外に吹き出される。
【００２５】
このとき、外気フード４５から外気ダクト４１を通ってミスト捕集装置３０Ａに達した外気中のミストは、ミスト捕集装置３０Ａのミスト捕集部２３Ａ（図２参照）により捕集され、水滴となってドレンパン２５に滴下した後、下り勾配がつけられた排水管２７を流れ下って外気フード４５から室外に排出される。ミストが捕集された後の外気は、熱交換器１７の給気通路を流れるときに当該熱交換器１７の排気通路を流れる室内空気との間で熱交換されて空気調和された後、給気グリル４６を通って室内に吹き出される。熱交換換気時における筐体１０内外での外気および室内空気の流れを判り易くするために、熱交換換気時の外気の流れを図１中に実線の矢印Ａで示すと共に、熱交換換気時の室内空気の流れを図１中に破線の矢印Ｂで示してある。
【００２６】
上述のようにして熱交換換気を行う熱交換換気装置４０Ａおよび該熱交換換気装置４０Ａを備えた熱交換換気システム５０Ａは、外気中のミストをミスト捕集部２３Ａにより捕集して室外に自然に排出するミスト捕集装置３０Ａを備えているので、室外からのミストの侵入を抑え易いと共に捕集したミストの廃棄が容易である。霧がかかった日や霧雨の日に長時間熱交換換気を行っても、ミストにより熱交換素子や装置が傷んだり熱交換素子から水漏れが起きたりすることが防止される。
【００２７】
また、換気装置本体２０の側方にミスト捕集装置３０Ａを取り付けているので、熱交換換気装置４０Ａの設置の際に建物内に並設される点検口１０５（図１参照）を利用してミスト捕集装置３０Ａの設置や保守管理を容易に行うことができる。ミスト捕集装置３０Ａを設けることによる設置作業の効率低下や、保守管理時の作業性の低下も容易に抑えることができる。さらには、外気ダクト４１にミスト捕集装置３０Ａの排水管２７（図２参照）を通すので、専用の排水路を新たに確保することなく排水管２７を容易に設置することができ、設置コストを最小限に抑え易い。
【００２８】
実施の形態２．
本発明の熱交換換気装置および熱交換換気システムの各々では、塵埃を除去するためのエリミネータをミスト捕集装置でのミスト捕集部とドレンパンとの間に設け、塵埃を吸着したミストがそのままドレンパンに滴下しないように構成することもができる。
【００２９】
図３は、塵埃を除去するためのエリミネータを有するミスト捕集装置の内部構造の一例を概略的に示す分解斜視図である。同図に示すミスト捕集装置３０Ｂは、ミスト捕集部２３Ｂと、該ミスト捕集部２３Ｂの下方に配置されたエリミネータ２９と、該エリミネータ２９の下方に配置されたドレンパン２５と、該ドレンパン２５に接続された排水管２７とを有しており、ミスト捕集部２３Ｂ、エリミネータ２９、およびドレンパン２５の各々は図示を省略した外箱に収容されている。
【００３０】
上記のミスト捕集部２３Ｂとしては、外気中の塵埃により目詰まりを起こしてしまうのを防止するという観点から、複数のフィン２３ａが並列配置された比較的目の粗いものが用いられている。当該ミスト捕集部２３Ｂおよび上記のエリミネータ２９をそれぞれ除いたミスト捕集装置３０Ｂの構成は、図１または図２に示したミスト捕集装置３０Ａの構成と同様であるので、ここではその説明を省略する。また、ミスト捕集装置３０Ｂを備えた熱交換換気装置および熱交換換気システムの各々の構成は、例えば、図１に示したミスト捕集装置３０Ａに代えてミスト捕集装置３０Ｂを用いるという点を除き、実施の形態１の熱交換換気装置４０Ａまたは熱交換換気システム５０Ａと同様の構成とすることができるので、ここではその図示を省略する。
【００３１】
上述のように構成されたミスト捕集装置３０Ｂでは、ミスト捕集部２３Ｂが外気中のミストを捕集したときに該ミスト捕集部２３Ｂに捕集されたミストに外気中の塵埃が吸着され、塵埃を吸着したミストが水滴となってエリミネータ２９に滴下するが、塵埃を吸着したミストはエリミネータ２９により水と塵埃に分離され、水のみがドレンパン２５に落ちる。そのため、ミスト捕集装置３０Ｂでは、塵埃によって排水管２７が詰まってしまうことが防止される。
【００３２】
したがって、当該ミスト捕集装置３０Ｂを備えた熱交換換気装置および熱交換換気システムの各々では、実施の形態１で説明した熱交換換気装置４０Ａまたは熱交換換気システム５０Ａに比べても、保守管理が容易になる。
【００３３】
実施の形態３．
本発明の熱交換換気装置および熱交換換気システムの各々では、ミスト捕集装置を熱交換換気装置の換気装置本体から離隔させて配置することもできる。このようにミスト捕集装置を配置するときでも、ドレンパンからの排水管が外気ダクト内を通って室外にまで延在するように当該ミスト捕集装置を配置することが好ましい。ミスト捕集装置内にエリミネータを配置するか否かは適宜選択可能であるが、実施の形態２で説明したように、エリミネータを配置した方が好ましい。
【００３４】
図４は、ミスト捕集装置が熱交換換気装置の換気装置本体から離隔して配置された熱交換換気装置および熱交換換気システムそれぞれの一例を概略的に示す部分断面図である。同図に示す熱交換換気装置４０Ｂは、ミスト捕集装置３０Ａが換気装置本体２０から離隔して配置されているという点を除き、図１に示した熱交換換気装置４０Ａと同様の構成を有している。また、同図に示す熱交換換気システム５０Ｂは、第１ダクト部４１ａと第２ダクト部４１ｂとを有する外気ダクト４１Ａを備えている点、および熱交換換気装置４０Ａに代えて熱交換換気装置４０Ｂを備えている点をそれぞれ除き、図１に示した熱交換換気システム５０Ａと同様の構成を有している。図４に示した構成部材のうちで図１に示した構成部材と供給するものについては、図１で用いた参照符号と同じ参照符号を付してその説明を省略する。
【００３５】
上記の熱交換換気装置４０Ｂでのミスト捕集装置３０Ａは、換気装置本体２０から離隔して建物の外壁１１０の直ぐ内側に配置されている。このミスト捕集装置３０Ａは、該ミスト捕集装置３０Ａに外気を送るための第１ダクト部４１ａにより室外に連通する一方で、第２ダクト部４１ｂにより装置本体２０の外気吸込口１ａに連通している。第１ダクト部４１ａと第２ダクト部４１ｂとは、外気ダクト４１Ａを構成する。
【００３６】
また、ミスト捕集装置３０Ａでの排水管２７は、第１ダクト部４１ａ内を通って室外にまで延在している。第１ダクト部４１ａにはミスト捕集装置３０Ａ側から室外にかけて下り勾配がつけられており、該第１ダクト部４１ａに通された排水管２７にもミスト捕集装置３０Ａ側から室外にかけて下り勾配がつけられている。
【００３７】
このように構成された熱交換換気装置４０Ｂおよび熱交換換気システム５０Ｂの各々では、実施の形態１で説明した熱交換換気装置４０Ａおよび熱交換換気システム５０Ａ（図１参照）と同様に、室外からのミストの侵入を抑え易いと共に、ミスト捕集装置３０Ａが捕集したミストの廃棄が容易である。また、ミスト捕集装置３０Ａでの排水管２７の管長が実施の形態１での排水管２７の管長よりも短くて済むため、ミスト捕集装置３０Ａの製造コストを抑え易い。
【００３８】
実施の形態４．
本発明の熱交換換気システムは、本発明の熱交換換気装置（以下、「第１熱交換換気装置」という）と、ミスト捕集装置を備えていない熱交換換気装置（以下、「第２熱交換換気装置」という）とを用いて構築することもできる。この場合、第１熱交換換気装置が少なくとも１台用いられ、該第１熱交換換気装置でのミスト捕集装置は、第１熱交換換気装置の外気吸込口に接続されると共に、必要に応じて第２熱交換換気装置の外気吸込口にも接続される。
【００３９】
図５は、第１熱交換換気装置と第２熱交換換気装置とを用いて構築された熱交換換気システムでのミスト捕集装置およびその近傍を概略的に示す部分断面図である。同図に示すミスト捕集装置３０Ｃは、１台の第１熱交換換気装置と２台の第２熱交換換気装置とを用いた熱交換換気システム（図示せず）を構成する。
【００４０】
上記のミスト捕集装置３０Ｃは、実施の形態１で説明したミスト捕集装置３０Ａ（図１および図２参照）と同様の構成を有している。このミスト捕集装置３０Ｃは、該ミスト捕集装置３０Ｃに外気を送るための第１ダクト部４１ａにより室外に連通している。また、ミスト捕集装置３０Ｃは、第２ダクト部４１ｂ1により第１熱交換換気装置での装置本体の外気吸込口（図示せず）に連通し、第３ダクト部４１ｂ2により第２熱交換換気装置での装置本体の外気吸込口（図示せず）に連通し、第４ダクト部４１ｂ3により他の第２熱交換換気装置での装置本体の外気吸込口（図示せず）に連通している。
【００４１】
このように構成された熱交換換気システムでは、実施の形態１で説明した熱交換換気装置４０Ａおよび熱交換換気システム５０Ａ（図１参照）と同様に、室外から各換気装置本体へのミストの侵入をミスト捕集装置３０Ｃにより抑え易いと共に、該ミスト捕集装置３０Ｃが捕集したミストの廃棄が容易である。複数台の換気装置本体へのミストの侵入を１台のミスト捕集装置３０Ｃで抑えることができるので、熱交換換気システムの作製コストを抑え易い。
【００４２】
以上、本発明の熱交換換気装置および熱交換換気システムの各々について実施の形態を挙げて説明したが、前述のように、本発明は上述の形態に限定されるものではない。本発明の熱交換換気装置は、換気装置本体の外気吸込口に吸い込まれる外気中のミストを捕集して室外に自然に排出するミスト捕集装置を備えたものであればよく、換気装置本体の構成は適宜変更可能である。また、ミスト捕集装置でのミスト捕集部、ドレンパン、および排気管の構成も適宜変更可能である。そして、本発明の熱交換換気システムは、本発明の熱交換換気装置を少なくとも１台備えていればよい。本発明については、上述した実施の形態以外にも種々の変形、修飾、組み合わせ等が可能である。
【産業上の利用可能性】
【００４３】
本発明の熱交換換気装置および熱交換換気システムの各々は、家庭用および業務用のいずれの熱交換換気装置または熱交換換気システムとして有用である。
【符号の説明】
【００４４】
１ａ  外気吸込口
１ｂ  給気口
３ａ  還気口
３ｂ  排気口
１０  筐体
１３  給気ファン
１５  排気ファン
１７  熱交換器
２０  換気装置本体
２３Ａ，２３Ｂ  ミスト捕集部
２５  ドレンパン
２７  排水管
２９  エリミネータ
３０Ａ，３０Ｂ，３０Ｃ  ミスト捕集装置
４０Ａ，４０Ｂ  熱交換換気装置
４１，４１Ａ，４１Ｂ  外気ダクト
４２  給気ダクト
４３  還気ダクト
４４  排気ダクト
５０Ａ，５０Ｂ  熱交換換気システム
【図１】
2010230273.tif 000003
【図２】
2010230273.tif 000004
【図３】
2010230273.tif 000005
【図４】
2010230273.tif 000006
【図５】
2010230273.tif 000007